(57)【要約】      （修正有）【課題】作業者が屋根上で簡単且つ容易に着脱できる屋根上作業安全装置を提供する。【解決手段】屋根上作業用安全装置１は、屋根Ｒの上面に沿って屋根Ｒの傾斜方向に延びるように配設され傾斜方向と直交する水平方向に所定間隔空けて配置された１対の屋根側部材２であって、各々が軒端側部分に配置される屋根側固定部材９と、屋根側固定部材９に下端部が固定される屋根側本体部材１０とを有する。また、１対の屋根側部材２に対応する位置において下端部が雨樋内に夫々配置されて上方へ延び屋根側固定部材９に固定された１対の縦部材４と、１対の縦部材４と１対の屋根側固定部材９とを夫々ヒンジ結合する１対のヒンジ部材とを設ける。さらに、１対の縦部材４の途中部と１対の屋根側固定部材９の途中部とを夫々連結する１対の連結部材６と、１対の連結部材６に亘って架着される受止部材７と、１対の縦部材４に亘って架着される手摺部材８とを備える。【選択図】図１
0003170093.tif 000002
【実用新案登録請求の範囲】
【請求項１】
屋根の上面に着脱可能に取り付けられる屋根上作業用安全装置において、
屋根の上面に沿って屋根の傾斜方向に延びるように配設され且つ傾斜方向と直交する水平方向に所定間隔空けて配置された１対の屋根側部材であって、各々が軒端側部分に配置される屋根側固定部材と前記屋根側固定部材に下端部が固定される屋根側本体部材とを有する１対の屋根側部材と、
前記１対の屋根側部材に対応する位置において下端部が雨樋内に夫々配置されて上方へ延び前記屋根側固定部材に固定された１対の縦部材と、
前記１対の縦部材と１対の屋根側固定部材とを夫々ヒンジ結合する１対のヒンジ部材と、
前記１対の縦部材の途中部と１対の屋根側固定部材の途中部とを夫々連結する１対の連結部材と、
前記水平方向へ延びて前記１対の連結部材に亘って架着される受止部材と、
前記水平方向へ延びて前記１対の縦部材に亘って架着される手摺部材と、
を備えたことを特徴とする屋根上作業用安全装置。
【請求項２】
前記縦部材は、雨樋の溝部に係合する係合部を有することを特徴とする請求項１に記載の屋根上作業用安全装置。
【請求項３】
前記屋根側本体部材は、屋根側固定部材に着脱可能に固定されることを特徴とする請求項１又は２に記載の屋根上作業用安全装置。
【請求項４】
前記受止部材の両端側部分に前記水平方向に延びる長穴が夫々形成され、前記受止部材の両端側部分は、前記長穴を挿通させた固定具を介して連結部材に夫々固定され、
前記手摺部材の両端側部分に前記水平方向に延びる長穴が夫々形成され、前記手摺部材の両端側部分は、前記長穴を挿通させた固定具を介して縦部材に夫々固定されたことを特徴とする請求項１〜３の何れか１項に記載の屋根上作業用安全装置。
【請求項５】
前記連結部材は、縦部材と屋根側固定部材との間の角度を調節可能に縦部材の途中部と屋根側固定部材の途中部を連結する１対の連結金具と、これら連結金具間に配設され且つこれら連結金具に固定された連結斜材とを備えていることを特徴とする請求項１〜４の何れか１項に記載の屋根上作業用安全装置。
【考案の詳細な説明】
【技術分野】
【０００１】
本考案は、屋根の上面に着脱可能に固定され屋根上作業の安全性を確保する為の屋根上作業用安全装置に関するものである。
【背景技術】
【０００２】
従来から、屋根の上に太陽電池パネルやソーラ温水器のパネルを取り付けたり、その他、種々の屋根上作業を行う場合に、作業者が安全且つ容易に屋根上作業を行う為の手摺りとして使用される転落防止柵が用いられている。この転落防止柵においては、地上から屋根の軒端よりも上方に延びるパイプ状の支柱が屋根の軒端に沿って所定間隔おきに立設され、複数の支柱に亘って手摺り部材を架着することで屋根の周囲に手摺り用の柵が形成される。
【０００３】
従来から、屋根の上面に取り付けた安全金具に命綱を連結することにより、作業者の屋根上作業の安全性を確保している（例えば、特許文献１参照）。この安全金具は屋根の上面に屋根の傾斜方向と直交する水平方向に所定間隔空けて配置され、屋根の上面に複数の固定具（ビスや釘等）を介して固定される座板と、この座板から立設された支柱と、支柱に回転自在に支持される環金具とを備えている。
【０００４】
例えば、屋根の頂部付近に複数の安全金具が間隔を空けて固定され、親綱は複数の安全金具の環金具に掛け渡され、親綱に摺動自在に連結された子綱が作業者の身体の安全ベルトに連結される。
【０００５】
近年、伸縮可能な所定の長さを有する操作棒を用いて地上から親綱を屋根の上面に設置可能な屋根上作業用転落防止具が実用に供されつつある。操作棒により屋根の上面に沿って掛け渡された親綱の始端部と終端部は、夫々、地上に設置された複数の水入りウェイトバックに連結され、上記の親綱に子綱が連結され、その子綱が作業者の身体の安全ベルトに連結される。
【先行技術文献】
【特許文献】
【０００６】
【特許文献１】実用新案登録第３１６２６２５号公報
【考案の概要】
【考案が解決しようとする課題】
【０００７】
従来の転落防止柵は、２階建て等の屋根が高い家屋に設置する場合、その組み立て作業に多くの労力と時間がかかる。しかも、家屋の周囲に複数の支柱を立設するスペースがない場合には適用困難である。
【０００８】
特許文献１の安全金具においては、屋根瓦を敷設した屋根の上面に複数の安全金具を固定する場合、屋根瓦を取り外し、その下側の野地板に座板を複数の固定具で固定するので、その固定作業が非常に面倒であり、時間と労力を要する。
【０００９】
特に、多面形状の屋根で作業を行う場合には、屋根の大きさに応じて１又は複数の安全金具を設置するので、その取り付け作業に多くの時間と労力を要する。しかも、この安全金具は、固定具を使用できる木造家屋の屋根にしか設置することができない。
【００１０】
操作棒を用いた屋根上作業用転落防止具においては、家屋の周囲に作業者が操作棒を操作できるスペースや複数のウェイトバックを配置するスペースがない場合には適用困難である。また、この屋根上作業用転落防止具は、大きい屋根に太陽電池パネルを設置する作業を行う場合には使用する価値があるが、小さい屋根や一部の屋根だけに太陽電池パネルを設置する短時間で済む作業に採用するのには適していない。
【００１１】
本考案の目的は、作業者が屋根上で簡単且つ容易に着脱作業を行うことができる屋根上作業用安全装置を提供すること、多様な形態の屋根に対応できる屋根上作業用安全装置を提供すること、作業者の屋根上作業の安全性を確保すると共に、作業中に資材や工具類や部品類が屋根から落下するのを防止できる屋根上作業用安全装置を提供すること等である。
【課題を解決するための手段】
【００１２】
請求項１の屋根上作業用安全装置は、屋根の上面に着脱可能に取り付けられる屋根上作業用安全装置において、屋根の上面に沿って屋根の傾斜方向に延びるように配設され且つ傾斜方向と直交する水平方向に所定間隔空けて配置された１対の屋根側部材であって、各々が軒端側部分に配置される屋根側固定部材と前記屋根側固定部材に下端部が固定される屋根側本体部材とを有する１対の屋根側部材と、前記１対の屋根側部材に対応する位置において下端部が雨樋内に夫々配置されて上方へ延び前記屋根側固定部材に固定された１対の縦部材と、前記１対の縦部材と１対の屋根側固定部材とを夫々ヒンジ結合する１対のヒンジ部材と、前記１対の縦部材の途中部と１対の屋根側固定部材の途中部とを夫々連結する１対の連結部材と、前記水平方向へ延びて前記１対の連結部材に亘って架着される受止部材と、前記水平方向へ延びて前記１対の縦部材に亘って架着される手摺部材と備えたことを特徴としている。
【００１３】
請求項２の屋根上作業用安全装置は、請求項１の考案において、前記縦部材は、雨樋の溝部に係合する係合部を有することを特徴としている。
請求項３の屋根上作業用安全装置は、請求項１又は２の考案において、前記屋根側本体部材は、屋根側固定部材に着脱可能に固定されることを特徴としている。
【００１４】
請求項４の屋根上作業用安全装置は、請求項１〜３の考案の何れか１項において、前記受止部材の両端側部分に前記水平方向に延びる長穴が夫々形成され、前記受止部材の両端側部分は、前記長穴を挿通させた固定具を介して連結部材に夫々固定され、前記手摺部材の両端側部分に前記水平方向に延びる長穴が夫々形成され、前記手摺部材の両端側部分は、前記長穴を挿通させた固定具を介して縦部材に夫々固定されたことを特徴としている。
【００１５】
請求項５の屋根上作業用安全装置は、請求項１〜４の考案の何れか１項において、前記連結部材は、縦部材と屋根側固定部材との間の角度を調節可能に縦部材の途中部と屋根側固定部材の途中部を連結する１対の連結金具と、これら連結金具間に配設され且つこれら連結金具に固定された連結斜材とを備えていることを特徴としている。
【考案の効果】
【００１６】
請求項１の考案によれば、１対の屋根側部材が屋根の上面に沿って屋根の傾斜方向に延びるように配設され且つ傾斜方向と直交する水平方向に所定間隔空けて配置され、各屋根側部材は、屋根の上面の軒端部分に配置される屋根側固定部材と、屋根側固定部材に下端部が固定される屋根側本体部材とを有し、１対の屋根側部材に対応する位置において下端部が雨樋内に夫々配置されて上方へ延び屋根側固定部材に固定された１対の縦部材とを備えているので、作業者が屋根上で簡単且つ容易に屋根上作業用安全装置を取り付けたり、取り外したりすることができる。
【００１７】
１対の縦部材と１対の屋根側固定部材とを夫々ヒンジ結合する１対のヒンジ部材を備えたので、縦部材を雨樋に係合させて屋根側部材を屋根の上面に沿って傾斜方向に配設できるため、種々の形状、大きさ、勾配の屋根に適用できるから汎用性に優れる。しかも、特別な固定手段を用いることなく屋根の上面に取り付けることができるため、種々の構造の家屋の屋根に使用することができる。
【００１８】
前記縦部材の途中部と屋根側固定部材の途中部とを連結する連結部材を備えたので、縦部材と屋根側固定部材とを連結する結合強度を高めることができる。
水平方向へ延びて１対の連結部材に亘って架着される受止部材を設けるため、資材や工具類や部品類が屋根から落下するのを防止することができると共に、屋根の軒端付近で作業を行う場合に、作業者が受止部材に足を掛けて安全に作業を行うことができる。
【００１９】
水平方向へ延びて１対の縦部材に亘って架着される手摺部材を設けたので、作業者が作業中に屋根の上で体のバランスを崩しても手摺部材を掴むことができるため、屋根からの転落を防ぐことができる。
【００２０】
請求項２の考案によれば、前記縦部材は、雨樋の溝部に係合する係合部を有するので、下端部を雨樋の溝部の形状や深さに応じて配置することができると共に、屋根側部材を屋根の上面にガタツキなく確実に固定保持することができる。
【００２１】
請求項３の考案によれば、屋根側本体部材は、屋根側固定部材に着脱可能に固定されるので、容易に取り外すことができると共に、屋根の上面に設置されたパネル等と干渉するのを防止することができる。
【００２２】
請求項４の考案によれば、受止部材の両端側部分は、長穴を挿通させた固定具を介して連結部材に夫々固定され、手摺部材の両端側部分は、長穴を挿通させた固定具を介して縦部材に夫々固定されるので、これら長穴を介して屋根側部材を受止部材と手摺部材に対して水平方向に移動させることができるため、屋根瓦との関係で最適の位置となるように１対の屋根側部材の水平方向の間隔や位置を調節することができる。
【００２３】
請求項５の考案によれば、連結部材は、縦部材と屋根側固定部材との間の角度を調節可能に縦部材の途中部と屋根側固定部材の途中部を連結する１対の連結金具と、これら連結金具間に配設され且つこれら連結金具に固定された連結斜材とを備えているので、種々の勾配の屋根に縦部材と屋根側固定部材を配置することができる。受止部材を連結斜材に確実に固定することができる。
【図面の簡単な説明】
【００２４】
【図１】本考案の実施例に係る屋根上作業用安全装置を屋根の上面に取り付けた状態を示す斜視図である。
【図２】屋根上作業用安全装置を屋根の上面に取り付けた状態を示す斜視図である。
【図３】屋根上作業用安全装置を屋根の上面に取り付けた状態で作業者が作業を行う状態を示す斜視図である。
【図４】屋根上作業用安全装置の要部拡大側面図である。
【図５】屋根上作業用安全装置を屋根の上面から取り外す際の状態を示す斜視図である。
【考案を実施するための形態】
【００２５】
以下、本考案を実施するための形態について実施例に基づいて説明する。
【実施例】
【００２６】
図１〜図５に示すように、屋根上作業用安全装置１は、複数枚の屋根瓦を敷設した傾斜屋根Ｒの上面に着脱可能に取り付けられ、屋根Ｒの上面に沿って屋根Ｒの傾斜方向に延びるように配設され且つ傾斜方向と直交する水平方向に所定間隔空けて配置された１対の屋根側部材２と、下端部が屋根Ｒの軒端の下側に配設された雨樋３内に配置される１対の縦部材４と、１対の縦部材４と１対の屋根側部材２とを夫々ヒンジ結合する１対のヒンジ部材５と、１対の縦部材４の途中部と１対の屋根側部材２の途中部とを夫々連結する１対の連結部材６と、前記水平方向へ延びて１対の連結部材６に亘って架着される受止部材７と、前記水平方向へ延びて１対の縦部材４に亘って架着される手摺部材８とを備えている。
【００２７】
各屋根側部材２は、屋根Ｒの上面の軒端側部分に配置される屋根側固定部材９と、屋根側固定部材９に下端部が固定される屋根側本体部材１０とを有する。屋根側固定部材９は、厚手の木板（例えば、厚さ約２cm, 幅約６〜８cm）で屋根Ｒの上面に沿って屋根Ｒの傾斜方向に延びている。屋根側固定部材９の下端面は略鉛直面に形成されている。
【００２８】
屋根側固定部材９の上端部分にはナット（図示略）が固定されている。屋根側固定部材９の裏面には例えば薄ゴム板などの高摩擦部材（図示略）が貼着されている。屋根側本体部材１０は、屋根Ｒの上面に沿って屋根Ｒの傾斜方向にストレート状に延びる木板（例えば、厚さ約１〜１．５cm, 幅約６〜８cm）で構成されている。屋根側本体部材１０の上端部と下端部には、円弧状に丸みが付けられている。
【００２９】
屋根側本体部材１０の下端部にはボルト挿通穴が形成され、このボルト挿通穴に上方から挿通させた蝶ボルト１１を屋根側固定部材９のナットに締結することにより、屋根側本体部材１０の下端部が屋根側固定部材９に解除可能に固定されている。屋根側本体部材１０の上端部分の裏面には、屋根Ｒの上面に当接する短い当接部材１２（例えば、厚さ約１〜１．５cm, 幅約６〜８cm）が接着剤等で固定されている。
【００３０】
当接部材１２は、厚手の木板で構成され、裏面には例えば薄ゴム板などの高摩擦部材（図示略）が貼着されている。前記屋根側固定部材９と当接部材１２により、屋根側本体部材１０と屋根Ｒの上面との間には採寸作業やマーキング作業を行うことができる程度の隙間が形成されている。
【００３１】
屋根側本体部材１０の頂部にはアイボルト１３が固定されている。このアイボルト１３には、紐部材１４を介して金属薄板製の支持金具１５が連結されている。紐部材１４は、耐久性と強度のある登山用ロープで構成されている。支持金具１５は、屋根瓦の裏側に差し込まれて係止される係止部１５ａを有し（図５参照）、この支持金具１５と紐部材１４を介して屋根側部材２を屋根Ｒの上面に強固に支持することができる。但し、アイボルト１３と紐部材１４と支持金具１５は省略可能である。
【００３２】
各縦部材４は、屋根Ｒの軒端よりも上方にほぼ鉛直に延びる縦部材本体４ａと、縦部材本体４ａに取り付けられ雨樋３の溝部３ａに係合する係合部材４ｂ（係合部）とを有する。縦部材本体４ａは、木板( 例えば、厚さ約１．５〜２cm, 幅約６〜８cm）で形成され、下端部が雨樋３の溝部３ａの建物側の内側面に当接し、係合部材４ｂの下端部分は、雨樋３の溝部３ａの建物と反対側の内側面に当接している。
【００３３】
縦部材本体４ａの上端寄り部分には屋根Ｒ側へ突出する水平なボルト１６が固定的に設けられ、このボルト１６に蝶ナット１７が螺合されている。縦部材本体４ａの頂部には、金属製の連結板１８が設けられている。
【００３４】
図２に示すように、連結板１８は、縦部材本体４ａの上端部分に複数のビス１９で固定される鉛直板部１８ａと、この鉛直板部１８ａの上端から屋根Ｒ側へ突出する水平板部１８ｂとを有する。水平板部１８ｂの屋根側端部には、ボルト挿通穴が形成され、このボルト挿通穴に蝶ボルト２０が挿通され、蝶ボルト２０の下端部にはナットが螺合されている。図５に示すように、屋根Ｒの上面から屋根上作業用安全装置１を取り外す際に、屋根側本体部材１０は、屋根側固定部材９から取り外されて、連結板１８の水平板部１８ａに蝶ボルト２０とナットを介して固定される。
【００３５】
図２に示すように、係合部材４ｂは厚手の金属板で縦長矩形状に形成されている。係合部材４ｂの上部は縦部材本体４ａの下端部に複数のビス２１で固定されている。係合部材４ｂの下部は縦部材本体４ａの下端部よりも下方へ突出し、雨樋３の溝部３ａの建物と反対側の内側面に当接している。係合部材４ｂは、ビス２１を介して縦部材本体４ａに対する固定位置を変えることにより、雨樋３の溝部３ａの形状や深さに応じて係合位置を調整可能に構成されている。
【００３６】
各ヒンジ部材５は、金属製の平蝶番で構成されている。屋根側固定部材９の後端部がヒンジ部材５により縦部材本体４ａの中段下部に固定され、屋根側固定部材９が上下方向へ揺動可能になっている。
【００３７】
各連結部材６は、縦部材本体４ａと屋根側固定部材９との間の角度を調節可能に縦部材本体４ａの両側部の中段部と屋根側固定部材９の両側部の長さ方向中央部を夫々連結する１対の連結金具２２と、これら連結金具２２間に配設され且つこれら連結金具２２に固定された連結斜材２３とを備えている。
【００３８】
図４に示すように、連結金具２２は、厚手の金属板で細長矩形状に形成されている。連結金具２２には、長手方向に複数のビス挿通穴２２ａが所定間隔おきに形成されている。１対の連結金具２２は、何れかのビス挿通孔２２ａに挿通させた１対のビス２４により縦部材本体４ａの側部に締結され、１対のビス２４により屋根側固定部材９の側部に締結され、縦部材本体４ａと屋根側固定部材９間に亘って水平面に対して約３０〜４５度の傾斜状の姿勢で架着されている。連結金具２２は、ビス挿通孔２２ａとビス２４を介して縦部材本体４ａと屋根側固定部材９に対する固定位置を変えることにより、縦部材本体４ａと屋根側固定部材９との間の角度を調節可能である。縦部材本体４ａと屋根側固定部材９との間の角度を調整する際、屋根Ｒに設置した時に縦部材４がほぼ鉛直姿勢になるように縦部材本体４ａと屋根側固定部材９との間の角度を調節する。尚、連結金具２２を縦部材本体４ａと屋根側固定部材９の間に亙って架着する際、連結金具２２の一端部が縦部材本体４ａから外側へ突出しないように縦部材本体４ａに固定され、他端部が屋根側固定部材９から下方（屋根瓦側）へ突出しないように屋根側固定部材９に固定される。
【００３９】
各連結斜材２３は側面視が逆等脚台形状の木製のブロック片で構成され、１対の連結金具２２間に水平面に対して約３０〜４５度の傾斜状の姿勢で配設されている。連結金具２２の長手方向途中部のビス挿通穴２２ａを挿通させた１対のビス２５を連結斜材２３に締結することにより、連結斜材２３が１対の連結金具２２に解除可能に固定されている。上記のように、前記１対の屋根側部材２と１対の縦部材４と１対の連結部材６とを結合することで１対のレ形部材が形成される。
【００４０】
受止部材７は、作業者や資材や工具類や部品類の滑落を防止する機能と、作業者の作業姿勢を安定させる機能（図３参照）とを有する。受止部材７は、屋根Ｒの軒端と平行な水平方向に沿ってストレートに延びる木板（例えば、厚さ約１．０〜１．５cm, 幅約６〜８cm）で構成され、１対の連結斜材２３に亘って架着されている。受止部材７の両端側部分には、夫々、水平方向に延びる長穴７ａが形成されている。受止部材７の両端側部分の長穴７ａに挿通させた蝶ボルト２６を連結斜材２３側のナットに夫々螺合することで連結斜材２３に位置調節可能に固定されている。
【００４１】
手摺部材８は、前記水平方向に沿ってストレートに延びる木板であって手摺部材８と同様の木板で構成されている。この手摺部材８の両端側部分には、夫々、水平方向に延びる長穴８ａが形成されている。１対の縦部材本体４ａに設けた１対のボルト１６を手摺部材８の両端側部分の長穴８ａに夫々挿通させ、各ボルト１６に蝶ナット１７を締結することにより、手摺部材８が１対の縦部材本体４ａに解除可能に固定されている。
【００４２】
前記蝶ボルト２６と蝶ナット１７を緩めれば、長穴７ａ，８ａを介して１対の屋根側部材２を連結斜材２３と１対の縦部材４に対して水平方向に移動させることができるから、屋根側部材２の水平方向位置を屋根瓦の凹凸と合うように調節したり、１対の屋根側部材２の水平方向の間隔を屋根Ｒの大きさや勾配に応じて調節できるようになっている。
【００４３】
以上説明した屋根上作業用安全装置１の作用効果について説明する。
図１、図２に示すように、作業者が傾斜屋根Ｒ上で屋根上作業用安全装置１の取り付け作業を行う場合、図１、図２に示す使用状態と同様の形態に組み立てた状態で、地上から屋根Ｒ上へ移送してもよいし、受止部材７と手摺部材８とを解体した形態で、１対のレ形部材（屋根側部材２と縦部材４と連結部材６の結合体）を地上から屋根Ｒ上へ移送し、その後受止部材７と手摺部材８とを取り付けるようにしてもよい。
【００４４】
上記のレ形部材を取り付ける場合、縦部材４の係合部材４ｂを上方から雨樋３内に挿入して溝部３ａの建物と反対側の内側面に係合させると共に、縦部材本体４ａの下端部を雨樋３の溝部３ａの建物側の内側面に当接させる。すると、屋根側部材２が傾斜屋根Ｒの上面に沿って屋根Ｒの傾斜方向に上方へ延びるように配設され、１対の屋根側部材２を傾斜方向と直交する水平方向に所定間隔空けて配置してから、受止部材７と手摺部材８とを取り付ける。
【００４５】
屋根側部材２において、屋根側固定部材９が屋根Ｒの上面の軒端側部分に配置されると共に、屋根側本体部材１０が屋根Ｒの上面に沿って傾斜方向に上方へ延びるように配置される。また、支持金具１５を屋根瓦の裏面側に差し込んで係止部１５ａを係止させることで１対の屋根側部材２が屋根Ｒの上面に固定保持される。尚、大きな屋根の場合には、複数組の屋根上作業用安全装置１を並列的に配置することが望ましい。小さい屋根の場合には、１組の屋根上作業用安全装置１を配置する場合もある。
【００４６】
図３に示すように、屋根上作業用安全装置１を屋根Ｒの上面に設置後、作業者は、受止部材７に足を掛けた状態で、太陽電池パネルＰを固定する固定架台Ｓや太陽電池パネルＰの設置作業を行う。作業中において屋根側本体部材１０が太陽電池パネルＰと固定架台Ｓと干渉する場合には、屋根上作業用安全装置１を適当な位置に移動させたり、図５に示す状態に切換えるものとする。
【００４７】
作業者が、屋根Ｒ上で屋根上作業用安全装置１を取り外す場合、図５に示すように、屋根瓦の裏側に係止された支持金具１５を引き抜き、屋根側本体部材１０を屋根側固定部材９から取り外して縦部材４の縦部材本体４ａの頂部の連結板１８の水平板部１８ｂに連結する。その後、両手で１対の屋根側本体部材１０の上端部分を掴んで上方へ持ち上げて１対の縦部材４の係合部材４ｂを雨樋３から上方へ持ち上げることで屋根上作業用安全装置１を屋根Ｒの上面側へ持ち上げてから、地上へ降ろすことができる。
【００４８】
１人の作業者が、この屋根上作業用安全装置１を屋根Ｒに簡単に容易に取り付けたり、取り外したりすることができる。また、縦部材４の係合部材４ｂを雨樋３の溝部３ａに係合させることにより屋根側部材２を屋根Ｒの上面に沿って屋根Ｒの傾斜方向に配置できるので、種々の形状、大きさ、勾配の屋根に設置するすることができる。
【００４９】
更に、この屋根上作業用安全装置１は、特別な固定手段を用いることなく屋根Ｒの上面に取り付けることができるので、種々の構造の家屋の屋根に使用することができる。簡単な構造で構成されているので、安価に製作することができる。
この屋根上作業用安全装置１は、主に材木を用いて構成してあるため軽量で取り扱い易い。但し、各部材を合成樹脂材料や軽量な金属材料で構成してもよい。
【００５０】
縦部材４の側部の中段部と屋根側固定部材９の側部の長さ方向中央部を連結する連結金具２２を設けたので、縦部材本体４ａと屋根側固定部材９を連結する結合強度を高めることができる。
水平方向へ延びて１対の連結斜材２３に架着される受止部材７を設けたので、作業者や資材や工具類や部品類が屋根Ｒから滑落するのを防止することがでると共に、屋根Ｒの軒端付近で作業を行う場合、作業者が受止部材７に足を掛けて安全に作業を行うことができる。
【００５１】
水平方向へ延びて１対の縦部材本体４ａの上端寄り部分に固定される手摺部材８を設けたので、作業中に作業者が屋根Ｒの上で体のバランスを崩しても手摺部材８を掴むことで屋根Ｒからの転落を防止することができる。
【００５２】
縦部材４は、雨樋３の溝部３ａに係合する係合部材４ｂを有するので、雨樋の溝部の形状や深さに応じて縦部材本体４ａに対する係合部材４ｂの固定位置を調節できると共に、屋根側部材２を屋根Ｒの上面にガタツキなく確実に固定保持することができる。
屋根側本体部材１０は、屋根側固定部材９に着脱可能に固定されるので、容易に取り外すことができ、屋根Ｒの上面に設置された太陽電池パネルＰとの干渉を防止することができる。
【００５３】
受止部材７の両端側部分には、夫々、水平方向に延びる長穴７ａが形成され、受止部材７の両端側部分は、長穴７ａに挿通させた蝶ボルト２６を連結斜材２３のナットに螺合することで着脱可能に固定され、手摺部材８の両端側部分には、夫々、水平方向に延びる長穴８ａが形成され、手摺部材８の両端側部分は、長穴８ａに挿通させたボルト１６と蝶ナット１７を介して１対の縦部材４の上端寄り部分に着脱可能に固定されているので、これら長穴７ａ，８ａを介して１対のレ形部材（屋根側部材２と縦部材４と連結部材６の結合体）を水平方向に移動させることにより、１対のレ形部材の水平方向の間隔を適宜調節することができる。尚、上記の間隔を最小間隔である約１５０ｃｍに設定した場合、両手で１対のレ形部材を掴むことで、屋根上作業用安全装置１を持ち上げることができる。
【００５４】
連結部材６は、縦部材本体４ａと屋根側固定部材９との間の角度を調節可能に縦部材本体４ａの両側部の中段部と屋根側固定部材９の両側部の長さ方向中央部を連結する１対の連結金具２２と、これら連結金具２２間に配設され且つこれら連結金具２２に固定された連結斜材２３とを備えているので、種々の勾配の屋根に縦部材４と屋根側部材２を配置することできる。受止部材７の両端側部分を連結斜材２３でもって確実に固定することができる。
【００５５】
前記実施例を次のように部分的に変更してもよい。
（１）前記受止部材７の一端側部分にだけ長穴７ａを形成してもよい。また、前記手摺部材８の一端側部分にだけ長穴８ａを形成してもよい。
（２）受止部材７と手摺部材８との間に物品の落下防止用のネットやビニールシートを張設してもよい。
【００５６】
（３）手摺部材８を１対の縦部材４の縦部材本体４ａの中段部近傍に固定してもよい。
（４）手摺部材８を伸縮可能な金属製のポールで構成してもよい。
【００５７】
（５）屋根側本体部材１０は、屋根の大きさに応じて種々の長さに設定してもよい。
（６）屋根上作業用安全装置１は、実施例の材料に限定されるものでなく、合成樹脂、アルミニウム、アルミニウム合金から選択される何れかの材料で構成してもよい。
【００５８】
（７）本考案の屋根上作業用安全装置１は、カラーベスト等種々の屋根材を敷設した屋根に適用可能である。
（８）その他、当業者であれば、本考案の趣旨を逸脱することなく、前記実施例に種々の変更を付加した形態が実施可能であり、本考案はそのような変更形態を包含するものである。
【符号の説明】
【００５９】
Ｒ      屋根
Ｐ      太陽電池パネル
Ｓ      固定架台
１      屋根上作業用安全装置
２      屋根側部材
３      雨樋
３ａ    溝部
４      縦部材
４ａ    縦部材本体
４ｂ    係合部材
５      ヒンジ部材
６      連結部材
７      受止部材
８      手摺部材
９      屋根側固定部材
１０    屋根側本体部材
１６    ボルト
１７    蝶ナット
２２    連結金具
２３    連結斜材
２６    蝶ボルト
【図１】
0003170093.tif 000003
【図２】
0003170093.tif 000004
【図３】
0003170093.tif 000005
【図４】
0003170093.tif 000006
【図５】
0003170093.tif 000007